(57)【要約】      （修正有）【課題】取扱性に優れるとともに，メインテナンスもしやすい液中プラズマ発生装置の提供。【解決手段】プラズマ発生に必要な機能を３つに分け，これをそれぞれ駆体毎の構成として組み合わせた液中プラズマ発生装置。この液中プラズマ発生装置は，３つの箱様駆体と放電電極からなる液中プラズマ発生装置であって，第一駆体は，エアー供給機構を備え，第二駆体は，電圧管理機構を備え，第三駆体は，電気供給機構を備えることを特徴とする。本発明により，機能的に分かりやすく，かつ，メインテナンスや故障などに対しても，個別の駆体の修理等により対応が可能であり，メインテナンス性を向上させるものである。【選択図】図１
2018092703.tif 000002
【特許請求の範囲】
【請求項１】
３つの箱様駆体と放電電極からなる液中プラズマ発生装置であって，
第一駆体は，エアー供給機構を備え，
第二駆体は，電圧等管理機構を備え，
第三駆体は，電気供給機構を備えることを特徴とする液中プラズマ発生装置
【請求項２】
エアー供給機構が，エアーポンプ入力部とエアー供給口を備え，前記エアー供給口と放電電極部に連結されていることを特徴とする請求項１に記載の液中プラズマ発生装置
【請求項３】
前記電気供給機構が，電気供給端子を備え，前記電気供給端子と放電電極部が連結されていることを特徴とする請求項１又は２に記載の液中プラズマ発生装置
【発明の詳細な説明】
【技術分野】
【０００１】
本発明は，プラズマ発生装置に関する。
【背景技術】
【０００２】
水中での放電により，プラズマを発生させる技術が開示されている（特許文献１，２）。この液中放電プラズマは，オゾンや過酸化水素，OHラジカルなどを発生させ，これら分子による微生物分解などにより，水質浄化を行うなどして使用することができる。
【先行技術文献】
【特許文献】
【０００３】
【特許文献１】特開２０１２−１５２７１２
【特許文献２】特開２０１３−１９３０００
【発明の開示】
【発明が解決しようとする課題】
【０００４】
しかるに液中プラズマ発生装置は，取扱性に優れないものが多いのが現状である。すなわち，プラズマ発生という危険を伴う装置であるにも関わらず，使用感として必ずしも分かりやすいものとはいえず，また，薬液を利用してプラズマを発生していたため，メインテナンス性についても優れたものとは言えなかった。
【０００５】
上記事情を背景として本発明では，取扱性に優れるとともに，メインテナンスもしやすい液中プラズマ発生装置の開発を課題とする。
【課題を解決するための手段】
【０００６】
発明者は，鋭意研究の結果，プラズマ発生に必要な機能を３つに分け，これをそれぞれ駆体毎の構成として組み合わせた液中プラズマ発生装置の発明に想到したものである。すなわち，かかる３つの駆体からなる液中プラズマ発生装置は，機能的に分かりやすく，かつ，メインテナンスや故障などに対しても，個別の駆体の修理等により対応が可能であり，メインテナンス性を向上させるものである。
【０００７】
本発明は，以下の構成からなる。
本発明の第一の構成は，３つの箱様駆体と放電電極からなる液中プラズマ発生装置であって，第一駆体は，エアー供給機構を備え，第二駆体は，電圧管理機構を備え，第三駆体は，電気供給機構を備えることを特徴とする液中プラズマ発生装置である。
本発明の第二の構成は，エアー供給機構が，エアーポンプ入力部とエアー供給口を備え，前記エアー供給口と放電電極部に連結されていることを特徴とする請求項１に記載の液中プラズマ発生装置である。
本発明の第三の構成は，前記電気供給機構が，電気供給端子を備え，前記電気供給端子と放電電極部が連結されていることを特徴とする請求項１又は２に記載の液中プラズマ発生装置である。
【発明の効果】
【０００８】
本発明により，取扱性に優れるとともに，メインテナンスもしやすい液中プラズマ発生装置の提供が可能となった。
加えて，本発明の液中プラズマ発生装置では，液中において，エアー供給による微細気泡と合わせてプラズマ発生を行うことにより，効率的にＯＨラジカルを発生させることが可能である。これにより，水中における有機物質の分解を効果的に行うことができる。
【図面の簡単な説明】
【０００９】
【図１】本発明の液中プラズマ発生装置に係る駆体部分の正面図
【図２】本発明の液中プラズマ発生装置に係る放電電極部の外観の様子を示した図
【図３】本発明の液中プラズマ発生装置により，プラズマ発生を行っている様子を示した図
【図４】本発明の液中プラズマ発生装置により，プラズマ発生を行っている様子を示した拡大図
【図５】本発明の液中プラズマ発生装置により，プラズマ発生を行っている様子を示した図
【図６】本発明の液中プラズマ発生装置において，分光器によりＯＨラジカルの測定を行っている様子を示した図
【図７】各駆体における電源接続を例示した図
【図８】本発明の液中プラズマ発生装置の機能概念図
【発明を実施するための形態】
【００１０】
本発明の液中プラズマ発生装置について，図面を例にとり，説明を行う。
図１は，本発明の装置に係る駆体部分の正面図，図２は，本発明の液中プラズマ発生装置に係る放電電極部の外観の様子を示した図，図３は，本発明の液中プラズマ発生装置により，プラズマ発生を行っている様子を示した図，図４は，本発明の液中プラズマ発生装置により，プラズマ発生を行っている様子を示した拡大図，図５は，本発明の液中プラズマ発生装置により，プラズマ発生を行っている様子を示した図，図６は，本発明の液中プラズマ発生装置において，分光器によりＯＨラジカルの測定を行っている様子を示した図
図７は，各駆体における電源接続を例示した図，図８は，本発明の液中プラズマ発生装置の機能概念図である。
【００１１】
本発明の液中プラズマ発生装置は，図１に例示されるように，上段，中段，下段，３つの箱様駆体から構成されるものである。
【００１２】
上段は，エアー供給を主たる目的として構成されているものであり，エアー供給機構を備えるものである。
エアー供給機構においては，上部駆体の側面から出ているエアー供給口にエアー配管をつなぎ，これを放電電極部に連結することにより，エアー供給が行われる。かかるエアー供給により，放電部における微細気泡ならびにオゾン生成が可能となり，液中における微生物や有機物質の分解を促進するという効果を有する（図４，５）。
【００１３】
中段は，電圧上昇や機器における各部の制御を主たる目的として構成されているものである。すなわち，通常用いられるAC100Vを，最大で40KV程度までを効率よく昇圧させるものである。加えて，装置におけるファンや温度，周波数などのモニター・管理を行い，異常があった場合は，内部に備えられたランプを点灯させることにより，異常を通知する。
【００１４】
下段は，電気供給を主たる目的として構成されているものであり，電気供給機構を備えるものである。
電気供給機構においては，下段駆体の側面に電気供給端子を備え，放電電極部に連結されていることにより電気供給を行うものである。
【００１５】
これら３つの箱様駆体から構成された液中プラズマ発生装置により，液中において，プラズマを発生させることが可能となる（図２，３）。加えて，本発明の液中プラズマ発生装置は，薬液を用いることなく液中においてプラズマを発生する構成であるため，薬液に関連して生じる保守管理が不要となり，さらにメインテナンス性に優れるものである。
【００１６】
このように，本発明の液中プラズマ発生装置では，エアー供給により微細気泡の存在下，プラズマ発生を行うことができる。これにより，効率的にＯＨラジカルを発生させることが可能であり，水中における有機物質の分解を効果的に行うことができる。
【図１】
2018092703.tif 000003
【図２】
2018092703.tif 000004
【図３】
2018092703.tif 000005
【図４】
2018092703.tif 000006
【図５】
2018092703.tif 000007
【図６】
2018092703.tif 000008
【図７】
2018092703.tif 000009
【図８】
2018092703.tif 000010